(57)【要約】【課題】  ウィルスの人体への侵入を確実に遮断することができ、しかも呼吸が容易で長時間にわたり快適な状態で使用することが可能なウィルス遮断用マスクを提供する。【解決手段】  少なくとも顔面５１ａに密着する接顔部１１ａが弾性部材から構成され、接顔部１１ａが顔面５０ａに密着した状態で鼻５１と口５２を覆う通気性を有しないマスク本体１０と、マスク本体１０に設けられ、マスク本体１０の内側と外側を連通する接続口１２と、接続口１２に着脱自在に接続され、呼吸に要する通気面積を有するウィルス捕捉用のフィルタエレメント２４を介して外気とマスク本体１０の内側とを連通するフィルタ２０とを備え、接続口１２とフィルタ２０とで挟持されるシート状部材が介在可能となっている。【選択図】  図１
2010220712.tif 000002
【特許請求の範囲】
【請求項１】
少なくとも顔面に密着する接顔部が弾性部材から構成され、前記接顔部が前記顔面に密着した状態で鼻と口を覆う通気性を有しないマスク本体と、
前記マスク本体に設けられ、前記マスク本体の内側と外側を連通する接続口と、
前記接続口に着脱自在に接続され、呼吸に要する通気面積を有するウィルス捕捉用のフィルタエレメントを介して外気と前記マスク本体の内側とを連通するフィルタと、
を備え、
前記接続口と前記フィルタとで挟持されるシート状部材が介在可能であることを特徴とするウィルス遮断用マスク。
【請求項２】
前記接続口と前記フィルタとで挟持され、前記顔面に装着された状態の前記マスク本体と頭部全体とを覆い、前記接続口と対向する部位が開口可能である袋状の遮蔽カバーと、を備えたことを特徴とする請求項１に記載のウィルス遮断用マスク。
【請求項３】
前記袋状の遮蔽カバーは、前記接続口と前記フィルタとで挟持した後、前記接続口と対向する部位を破ることにより開口可能であることを特徴とする請求項２に記載のウィルス遮断用マスク。
【請求項４】
前記袋状の遮蔽カバーは、透明な樹脂製の袋から構成されていることを特徴とする請求項２または３に記載のウィルス遮断用マスク。
【発明の詳細な説明】
【技術分野】
【０００１】
この発明は、空気中に浮遊するウィルスの人体への侵入を確実に遮断するためのウィルス遮断用マスクに関する。
【背景技術】
【０００２】
従来からマスク本体をカップ状に形成し、マスク本体が顔面に密着し易いようにした顔面装着用マスクが知られている（例えば、特許文献１参照。）。この顔面装着用マスクは、複数層の不織布をプレス成形してマスク本体をカップ状に形成しており、マスク本体には装着用の耳掛け部が取付けられている。
【０００３】
また、マスク本体に対してフィルタを着脱可能とした構造のマスクが知られている（例えば、特許文献２、３参照。）。
【先行技術文献】
【特許文献】
【０００４】
【特許文献１】特開平１０−２８６３１９号公報
【特許文献２】特開２００２−３０１１６５号公報
【特許文献３】特開２００４−３２１７７６号公報
【発明の概要】
【発明が解決しようとする課題】
【０００５】
ところで、インフルエンザの予防として顔面装着用マスクを利用することが有効であるが、一般のインフルエンザ予防用のマスクは、特許文献１のように顔面と接触するマスク本体が不織布から構成されているので、顔面とマスク本体とを完全に密着させることが難しい。そのため、インフルエンザウィルスが空気とともに顔面とマスク本体との隙間からマスク本体の内側に容易に流入し、口や鼻を介してインフルエンザウィルスが人体内に侵入するという問題がある。
【０００６】
また、インフルエンザ予防用のマスクは、ウィルスを捕捉するために非常に微細な通気孔を有する不織布を使用しているので、顔面とマスク本体との隙間を完全に塞いだ場合は、吸気抵抗および排気抵抗の増加により十分な呼吸ができなくなり、息苦しくなるという問題が生じる。したがって、特許文献１のような構造のマスクでは、顔面とマスク本体との隙間を完全に塞いだ場合は、息苦しさが伴う呼吸を強いられることになり、長時間の使用においては苦痛が伴う。特許文献２のマスクは、呼吸を容易にするための逆止弁を有しているが、逆止弁が故障した場合は、逆止弁を介してウィルスが人体内に侵入するおそれがある。
【０００７】
ウィルスは口や鼻だけでなく、目や耳などの粘膜を介して人体内に侵入することがあるので、安全を期するためには頭部全体をシート状部材で覆うことが望まれる。特許文献３は、リュックサックに顔面を覆うことが可能なマスクを収納するものであるが、マスクを装着した状態では頭部の一部のみがリュックサックの前面および背面で覆われ、頭部両側面は開放状態となるので、耳が位置する頭部側面を保護することができない。
【０００８】
近年は、毒性の強いウィルスを有する鳥インフルエンザや新型インフルエンザが流行する兆しがあり、これらのウィルスの人体への侵入を確実に遮断するための新規なマスクの開発が望まれる。
【０００９】
そこでこの発明は、ウィルスの人体への侵入を確実に遮断することができ、しかも呼吸が容易で長時間にわたり快適な状態で使用することが可能なウィルス遮断用マスクを提供することを目的とする。
【課題を解決するための手段】
【００１０】
上記目的を達成するために請求項１に記載の発明は、少なくとも顔面に密着する接顔部が弾性部材から構成され、前記接顔部が前記顔面に密着した状態で鼻と口を覆う通気性を有しないマスク本体と、前記マスク本体に設けられ、前記マスク本体の内側と外側を連通する接続口と、前記接続口に着脱自在に接続され、呼吸に要する通気面積を有するウィルス捕捉用のフィルタエレメントを介して外気と前記マスク本体の内側とを連通するフィルタと、を備え、前記接続口と前記フィルタとで挟持されるシート状部材が介在可能であることを特徴とするウィルス遮断用マスクである。
【００１１】
この発明によれば、接顔部が弾性部材から構成されているため、マスク本体の接顔部は顔面に沿って容易に変形し、マスク本体は顔面と密着した状態となる。また、呼吸に要する通気面積を有するフィルタエレメントが収納されたフィルタが接続される接続口を介して呼吸が行われるので、呼吸時の吸気抵抗および排気抵抗が小さくなり、呼吸が容易となる。
【００１２】
請求項２に記載の発明は、請求項１に記載のウィルス遮断用マスクにおいて、前記接続口と前記フィルタとで挟持され、前記顔面に装着された状態の前記マスク本体と頭部全体とを覆い、前記接続口と対向する部位が開口可能である袋状の遮蔽カバーと、を備えたことを特徴としている。
【００１３】
請求項３に記載の発明は、請求項２に記載のウィルス遮断用マスクにおいて、前記袋状の遮蔽カバーは、前記接続口と前記フィルタとで挟持した後、前記接続口と対向する部位を破ることにより開口可能であることを特徴としている。
【００１４】
請求項４に記載の発明は、請求項２または３に記載のウィルス遮断用マスクにおいて、前記袋状の遮蔽カバーは、透明な樹脂製の袋から構成されていることを特徴としている。
【発明の効果】
【００１５】
請求項１に記載の発明によれば、マスク本体を顔面に密着させることができるので、空気中に浮遊するウィルスが顔面とマスク本体との間からマスク本体内側へ侵入するのを確実に防止することができる。
【００１６】
また、鼻と口による呼吸は、呼吸に要する通気面積を有するフィルタエレメントが収納されたフィルタを介して行うので、マスク本体を顔面に密着させても呼吸が容易となり、ウィルス遮断用マスクを長時間にわたり快適な状態で使用することができる。
【００１７】
さらに、シート状部材は接続口とフィルタとで挟持されるので、容易にシート状部材を装着することができる。
【００１８】
請求項２に記載の発明によれば、口や鼻だけでなくウィルスなど付着し易い目や耳などの粘膜部分も袋状の遮蔽カバーによって覆うことができるので、第三者の咳などによる顔面や頭部の粘膜部分へのウィルスなどの付着を防止することができる。
【００１９】
請求項３に記載の発明によれば、袋状の遮蔽カバーは、接続口と対向する部位を破ることにより開口可能であるので、遮蔽カバーの一部を予め開口させておく必要がなく、遮蔽カバーとして市販のビニル袋などを利用することができる。
【００２０】
請求項４に記載の発明によれば、頭部全体を遮蔽カバーによって覆った状態でも周囲を確認することができるので、歩行や読書なども支障なく行うことができる。
【図面の簡単な説明】
【００２１】
【図１】本発明の実施の形態に係わるウィルス遮断用マスクの使用状態を示す側面図である。
【図２】図１のウィルス遮断用マスクにおけるマスク本体の側面図である。
【図３】図１のウィルス遮断用マスクにおけるマスク本体の正面図である。
【図４】図１のウィルス遮断用マスクにおけるマスク本体の背面図である。
【図５】図４のＡ−Ａ線に沿う断面図である。
【図６】図４のＢ−Ｂ線に沿う断面図である。
【図７】図２のマスク本体に設けられる接続口の拡大断面図である。
【図８】図７の接続口の拡大正面図である。
【図９】図１のフィルタの側面図である。
【図１０】図９のフィルタの正面図である。
【図１１】図１のマスク本体の接続口とフィルタとの間に遮蔽カバーを固定する作業を示す側面図である。
【図１２】図１１の遮蔽カバーによってマスク本体と頭部全体とを覆った状態を示す側面図である。
【発明を実施するための形態】
【００２２】
つぎに、この発明の実施の形態について図面を用いて詳しく説明する。
【００２３】
図１ないし図１２は、この発明の実施の形態を示している。図１に示すように、顔面５０ａには、マスク本体１０が装着されている。マスク本体１０は、例えば弾性部材としてのゴムから構成されている。ゴムとしては、顔面５０ａに密着しやすくかつ容易に弾性変形可能なシリコーンゴムが望ましい。マスク本体１０は、鼻５１と口５２とを一緒に覆う覆部１１と、接続口１２とを有している。
【００２４】
覆部１１は略カップ状に形成されており、軽量化を図るために全体にわたり薄肉化されている。覆部１１の外周部は、顔面５０ａにおける鼻５１と口５２の周りに密着可能な接顔部１１ａに形成されている。すなわち、接顔部１１ａは顔面５０ａに密着するように、鼻５１と口５２の周りの形状に沿って延びるように形成されている。覆部１１の上部は、側面形状が斜め方向に下りとなる傾斜隆起部１１ｂに形成されている。覆部１１の中央部は、隆起傾斜部１１ｂに連なり、接顔部１１ａから立ち上がる湾曲の中央隆起部１１ｃに形成されている。傾斜隆起部１１ｂには、補強のための突条部１１ｅが形成されている。
【００２５】
図４に示すように、接顔部１１ａは、側部接顔部１１ａ１と、上部接顔部１１ａ２と、下部接顔部１１ａ３を有している。側部接顔部１１ａ１は、鼻５１と口５２の両側に位置する部位であり、顔面５０ａにおける鼻５１の上部から口５２の下方にかけて接触可能な部位である。上部接顔部１１ａ２は、鼻５１の上部と接触可能な部位である。下部接顔部１１ａ３は、顎前部５２ａと接触可能な部位である。接顔部１１ａは、顔面５０ａとの密着性を高めるために全周にわたり折返し構造となっており、上部接顔部１１ａ２は、折返しの部位が鼻５１の上部と接触可能となっている。同様に、側部接顔部１１ａ１は、折返し部が鼻５１と口５２の両側に位置する部位と接触可能となっている。
【００２６】
この実施の形態においては、接顔部１１ａを折返し構造とすることにより、接顔部１１ａをより弾性変形しやすくし、接顔部１１ａと顔面５０ａとの密着性を高めることが可能となっている。覆部１１には、顔面５０ａにマスク本体１０を装着するためのゴム製の保持バンド１５が取付けられている。保持バンド１５は、一端部１５ａが覆部１１の一方の側部接顔部１１ａ１近傍に連結されており、他端部１５ｂは、覆部１１の他方の側部接顔部１１ａ１近傍に連結されている。
【００２７】
覆部１１の下部には、接続口１２が設けられている。すなわち、接続口１２は、中央隆起部１１ｃの下部で、かつ下部接顔部１１ａ３の直上に位置している。接続口１２は、第一の接続具１３と第二の接続具１４から構成されている。第一の接続具１３は、図７に示すように、外形が円環状となっており、例えば合成樹脂から構成されている。第一の接続具１３は、後述するフィルタ２０の雄ネジ２３との気密性を高めるために、一定の強度を有しかつ弾性変形可能な材料を用いるのが望ましい。第一の接続具１３の内面には、フィルタ２０の雄ネジ２３と螺合可能な雌ネジ１３ａが形成されている。また、第一の接続具１３の内面には、第一の呼吸穴１３ｂが形成されている。第一の呼吸穴１３ｂは、雌ネジ１３ａと軸方向に連なって形成されており、これにより接続口１２は、マスク本体１０の内側と外側を連通する機能を有している。雌ネジ１３ａは、フィルタ２０の雄ネジ２３との螺合時の気密性を向上させるために、ネジ山の断面形状が円弧状となる丸ねじから構成されている。
【００２８】
第一の接続具１３の外周部には、雄ネジからなる第一の締結ネジ１３ｃが形成されている。第一の締結ネジ１３ｃは、外径が外端部１３ｅの径よりも小に形成されており、第一の締結ネジ１３ｃと外端部１３ｅとの間には、段差部１３ｄが形成されている。第二の接続具１４は、外形が円環状となっており、内面には第一の締結ネジ１３ｃと螺合可能な第二の締結ネジ１４ａが形成されている。第二の接続具１４は、第二の締結ネジ１４ａを第一の締結ネジ１３ｃに螺合させた状態では、一端部が第一の接続具１３の段差部１３ｄと対向するようになっている。マスク本体１０の覆部１１に形成された接続穴１１ｅに第一の接続具１３の第一の締結ネジ１３ｃを挿入した状態で、第一の締結ネジ１３ｃに第二の締結ネジ１４ａを螺合させることにより、接続穴１１ｅの周縁部１１ｄは第一の接続具１３の段差部１３ｄと第二の締結ネジ１４の一端部により挟持されるようになっている。これにより、第一の接続具１３と第二の接続具１４とから構成される接続口１２は、マスク本体１０の覆部１１に密着した状態で固定される。
【００２９】
マスク本体１０の接続口１２には、フィルタエレメント２４を介して外気とマスク本体１０の内側とを連通するフィルタ２０が接続されている。フィルタ２０は、マスク本体１０の接続口１２に着脱自在となっている。フィルタ２０は、例えばアルミニウム合金から構成される第一のケース２１と第二のケース２２を有している。第一のケース２１の半径方向中央部には、空気を通す通気穴２１ａが形成されている。第二のケース２２の半径方向中央部には、軸方向に突出する雄ネジ２３が第二のケース２２と一体で形成されている。雄ネジ２３は、マスク本体１０の接続口１２の雌ネジ１３ａと螺合可能となっている。雄ネジ２３は、接続口１２の雌ネジ１３ａとの螺合時の気密性を向上させるために、ネジ山の断面形状が円弧状となる丸ねじから構成されている。
【００３０】
雄ネジ２３の内側には、フィルタエレメント２４と連通する呼吸通路２３ａが形成されている。呼吸通路２３ａは、通気穴２１ａからフィルタエレメント２４を介して吸込まれた空気をマスク本体１０の内側に流す機能を有している。また、呼吸通路２３ａは、鼻５１と口５２から吐き出された空気をフィルタエレメント２４を介して通気穴２１ａから外部に排出する機能とを有している。このように、マスク本体１０は通気性を有していないので、呼吸はすべてフィルタ２０を介して行われる。
【００３１】
第一のケース２１の端部２１ｃと第二のケース２２の端部２２ａは、フィルタエレメント２４を収納した後に、接合されるようになっている。第一のケース２１と第二のケース２２の接合部は、気密性が保持されている。接合された状態の第一のケース２１と第二のケース２２の中には、フィルタエレメント２４が折り畳まれた状態で収納されている。フィルタ２０は、軽量化を図るために第一のケース２１と第二のケース２２が薄肉化されている。第一のケース２１には、第一のケース２１が呼吸時の圧力によって変形するのを抑制するための補強部２１ｂが放射状に形成されている。
【００３２】
フィルタエレメント２４は、空気中に浮遊する微細な物質を捕捉する機能を有している。この実施の形態においては、フィルタエレメント２４は、インフルエンザウィルスを捕捉する機能を有する種類のものが用いられている。フィルタエレメント２４は、呼吸に要する通気面積を有しており、展開した状態では従来のカップ状のマスク本体に対して数十倍の面積を有している。すなわち、フィルタエレメント２４は、呼吸時の吸気抵抗および排気抵抗が小となるように、従来技術のマスク本体に比べて通気面積が著しく大となっている。これにより、フィルタエレメント２４は、インフルエンザウィルスを捕捉するために非常に微細な通気孔を有する不織布などの捕捉材料を使用しても、十分な通気面積を確保することが可能となり、従来のカップ状のマスク本体に比べて呼吸が著しく容易となる。
【００３３】
このように、ウィルス捕捉用のフィルタエレメント２４は、呼吸に要する十分な通気面積を有しているので、その表面積が著し大きくなるが、折り畳まれた状態でフィルタ２０に収納されているので、フィルタ２０の外径を必要以上に大きくすることなく、十分な通気面積を確保することができる。したがって、通気面積を十分に確保しても、フィルタ２０によって視界が妨げられることはほとんどない。
【００３４】
フィルタ２０の雄ネジ２３は、接続口１２の雌ネジ１３ａに螺合した際は、先端面２３ｂが図７に示す接続口１２における段差面１３ｆに接触しない長さに設定されている。これにより、フィルタ２０の接続口１２への接続完了時には、フィルタ２０の外面２２ａが
接続口１２の外端部１３ｅに接触するように構成されている。したがって、図１に示すように、マスク本体１０の接続口１２にフィルタ２０が接続された状態では、雌ネジ１３ａと雄ネジ２３との隙間は、フィルタ２０を接続口１２にねじ込んだときのくさび効果により、雌ネジ１３ａと雄ネジ２３のねじ山同士の接触によりシールされる。また、雌ネジ１３ａと雄ネジ２３との螺合時の隙間には、この隙間をシールするためのシート状部材が介在可能となっている。シート状部材としては、後述するように頭部５０全体を覆う袋状の遮蔽カバー３１が用いることが可能となっている。
【００３５】
つぎに、ウィルス遮断用マスクの使用方法および作用について説明する。
【００３６】
使用開始に際しては、まずマスク本体１０にフィルタ２０を接続する。フィルタ２０の接続は、フィルタ２０の雄ネジ２３をマスク本体１０の接続口１２の雌ネジ１３ａに螺合させることにより行う。ここで、フィルタ２０を強く接続口１２にねじ込むことにより、雌ネジ１３ａと雄ネジ２３のねじ山同士が密着し、雌ネジ１３ａと雄ネジ２３との隙間はシールされる。また、フィルタ２０がマスク本体１０に接続された状態では、フィルタ２０の外面２２ａが接続口１２の弾性を有する外端部１３ｅに密着するので、さらに接続部分の気密性が高くなる。
【００３７】
フィルタ２０のマスク本体１０への接続が完了すると、マスク本体１０を顔面５０ａに装着する。ここで、マスク本体１０にはゴム製の保持バンド１５が取付けられているので、保持バンド１５の中央部を後頭部５０ｂに掛けることより、マスク本体１０を顔面５０ａに密着した状態で装着させることができる。すなわち、マスク本体１０はシリコーンゴムから構成されており、接顔部１１ａは弾性変形が容易となるように全周にわたり折返し構造となっているので、マスク本体１０は接顔部１１ａが顔面５０ａに完全に密着した状態となり、マスク本体１０と顔面５０ａとの接触部分に隙間は生じない。ここで、マスク本体１０は、薄肉の弾性部材から構成されているので、保持バンド１５によるマスク本体１０の顔面５０ａへの装着力を強くした場合でも、マスク本体１０全体が容易に弾性変形し、接顔部１１ａが顔面５０ａに強く食い込むことはなく、圧迫感を解消することができる。
【００３８】
また、マスク本体１０は通気性を有しないので、鼻５１と口５２による呼吸は必ずフィルタ２０を介して行うことになる。フィルタ２０は、フィルタエレメント２４を介して外気とマスク本体１０の内側とを連通する機能を有しているので、フィルタ２０の通気穴２１ａから流入した空気は、フィルタエレメント２４を介して鼻５１と口５２から人体内に送られる。フィルタエレメント２４は、空気中に浮遊するインフルエンザウィルスを捕捉する機能を有しているので、鼻５１と口５２に送られる空気はインフルエンザウィルスが完全に除去されており、人体内にインフルエンザウィルスが侵入するのを防止することができる。
【００３９】
近年は、毒性の強いウィルスを有する鳥インフルエンザや新型インフルエンザが流行する兆しがあり、これらのウィルスの人体への侵入を完全に遮断することが必要となるが、この実施の形態のように、マスク本体１０を通気性を有しない構造にするとともに、マスク本体１０を顔面に完全に密着させることにより、呼吸はフィルタ２０のみを介して行われ、鳥インフルエンザウィルスや新型インフルエンザウィルスが人体内に侵入するのを確実に防止することができる。また、フィルタエレメント２４は、呼吸に要する十分な通気面積を有しているので、マスク本体１０を顔面５０ａに密着させても呼吸が容易となり、息苦しさを解消することができる。
【００４０】
図１１および図１２は、鼻５１や口５２だけでなく、ウィルスが付着しやすい目５３や耳５４などの粘膜部分を袋状の遮蔽カバー３１によって保護する場合を示している。この場合は、図１１に示すように、マスク本体１０を顔面５０ａの装着する前に、遮蔽カバー３１をマスク本体１０とフィルタ２０とによって固定する。遮蔽カバー３１の固定は、つぎの要領で行う。
【００４１】
まず、マスク本体１０を遮蔽カバー３１の開口部３１ａから遮蔽カバー３１の内側に進入させ、遮蔽カバー３１を挟んでマスク本体１０とフィルタ２０とを対向させる。この状態でフィルタ２０の雄ネジ２３を接続口１２の雌ネジ１３ａにねじ込む。ここで、雌ネジ１３ａと雄ネジ２３との隙間には、この隙間をシールするためのシート状部材としての遮蔽カバー３１が介在可能となっているので、雌ネジ１３ａと雄ネジ２３との隙間は、遮蔽カバー３１によってシールされる。すなわち、遮蔽カバー３１を接続口１２とフィルタ２０とによって固定する際には、遮蔽カバー３１の一部は、雌ネジ１３ａと雄ネジ２３との螺合によって図１１の二点鎖線で示すように筒状に変形し、雌ネジ１３ａと雄ネジ２３との隙間に介在することにより、雌ネジ１３ａと雄ネジ２３とによって挟持されることになる。これにより、遮蔽カバー３１を容易に装着することができ、またマスク本体１０の接続口１２とフィルタ２０との接続部分の気密性を高めることができる。
【００４２】
接続口１２とフィルタ２０による遮蔽カバー３１の固定が完了すると、遮蔽カバー３１の開口部３１ａから遮蔽カバー３１内に手を入れ、遮蔽カバー３１の接続口１２と対向する部位Ｚを矢印Ｙ方向から押し破る。これにより、遮蔽カバー３１の接続口１２と対向する部位Ｚが開口し、遮蔽カバー３１には第二の呼吸穴３１ｂが形成される。つぎに、図３の保持バンド１５を後頭部５０ｂに掛けることにより、マスク本体１０を顔面５０ａに装着する。その後、マスク本体１０と頭部５０全体とを遮蔽カバー３１によって覆う。この状態では、遮蔽カバー３１の開口部３１ａは、首５５よりも下方に位置しているので、ウィルスなど付着しやすい目５３や耳５４などの粘膜部分を袋状の遮蔽カバー３１によって覆うことが可能となる。したがって、第三者の咳などによる顔面５０ａや頭部５０の粘膜部分（顔面の吹き出物や傷なども含む）へのウィルスなどの付着を防止することができる。
【００４３】
頭部５０を遮蔽カバー３１で覆った場合でも、鼻５１と口５２による呼吸はフィルタ２０のみを介して行われるので、遮蔽カバー３１の内側は吐く息によって曇ることはない。したがって、遮蔽カバー３１として透明な素材から構成することにより、頭部５０全体を遮蔽カバー３１によって覆った状態でも周囲を確認することができ、歩行や読書などにも支障をきたさない。また、遮蔽カバー３１は、接続口１２と対向する部位を破ることにより開口可能であるので、遮蔽カバー３１の一部を予め開口させておく必要がなく、遮蔽カバー１２として市販の透明ビニル袋（レジ袋）などを利用することができる。
【００４４】
遮蔽カバー３１は、使用後は廃棄し、接続口１２とフィルタ２０との間には新たな遮蔽カバー３１が取付けられる。これにより、遮蔽カバー３１に付着したウィルスによる感染を確実に防止することができる。つまり、使い捨て可能な市販のビニル袋などを使用することで、遮蔽カバー３１を殺菌することなく、容易かつ確実にウィルス感染を防止できる。また、フィルタ２０も一定期間使用後は、新たなフィルタ２０と交換される。
【００４５】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、マスク本体１０の覆部１１をすべて弾性部材から構成したが、少なくとも顔面に密着する接顔部１１ａを弾性部材から構成し、他の部位を通気性のない別部材から構成するようにしてもよい。また、マスク本体１０の弾性部材は、シリコーンゴムに限定されず、容易に弾性変形する柔らかな生ゴムなどを用いた構成としてもよい。
【００４６】
さらに、この実施の形態においては、シート状部材としての遮蔽カバー３１の一部を雌ネジ１３ａと雄ネジ２３とによって挟持する構成としているが、ネジ以外の構造を用いて
遮蔽カバー３１を挟持する構成としてもよい。
【符号の説明】
【００４７】
１０        マスク本体
１１        覆部
１１ａ      接顔部
１２        接続口
１３        第一の接続具
１３ａ      雌ネジ
１３ｂ      第一の呼吸穴
１４        第二の接続具
１５        保持バンド
２０        フィルタ
２３        雄ネジ
２４        フィルタエレメント
３１        遮蔽カバー（シート状部材）
３１ｂ      第二の呼吸穴
５０        頭部
５０ａ      顔面
５１        鼻
５２        口
【図１】
2010220712.tif 000003
【図２】
2010220712.tif 000004
【図３】
2010220712.tif 000005
【図４】
2010220712.tif 000006
【図５】
2010220712.tif 000007
【図６】
2010220712.tif 000008
【図７】
2010220712.tif 000009
【図８】
2010220712.tif 000010
【図９】
2010220712.tif 000011
【図１０】
2010220712.tif 000012
【図１１】
2010220712.tif 000013
【図１２】
2010220712.tif 000014